(57)【特許請求の範囲】
【請求項１】
本体の所定面にカメラを備えた移動体電話機において、
前記本体の所定機能を操作するテンキーなどの操作ボタンを配置した操作面を有する第１筐体と、
前記第１筐体に摺動可能に装着されて前記操作面を覆う閉塞位置と前記操作面を露出させる開放位置とに摺動するとともに所定の端部に回転可能に軸支したカメラを有する第２筐体とを備え、
前記第２筐体は前記閉塞位置で前記第１筐体と外周がほぼ一致するように重なり前記カメラが位置する前記第１筐体の一端側に切り欠き部を設けて前方及び後方を撮影可能にするとともに、前記本体を前記第１筐体及び第２筐体により形成することで所定の電子部品を十分に配置できる配置スペースを確保するように設けたことを特徴とする移動体電話機。
【請求項２】
請求項１に記載の移動体電話機において、
前記第２筐体には、前記閉塞位置で覆われる前記操作面の操作ボタンとは異なり前記閉塞位置の状態で露出して前記カメラ及びオンフック・オフフックの操作を行う基本ボタンを配置したことを特徴とする移動体電話機。
【請求項３】
請求項１または２に記載の移動体電話機において、
前記本体は、前記第２筐体に前記カメラとともに大型の液晶表示器及びスピーカを配置し、前記第１筐体に前記操作ボタン及びマイクを配置することで、前記開放位置に摺動する際に前記スピーカからマイクまでの長さを使用者の耳から口までの長さに調節できるように設けたことを特徴とする移動体電話機。
【請求項４】
請求項１乃至請求項３のいずれかに記載の移動体電話機において、
前記カメラは、前記第２筐体に軸支されて前記操作面側から裏面側に１８０度回転して撮影できるように形成され、この画像を通信により発信できるように設けたことを特徴とする移動体電話機。
【発明の詳細な説明】
【０００１】
【発明の属する技術分野】
本発明は、移動体電話機に係り、より詳細には所定の画像を撮影可能なカメラを備える移動体電話機に関する。
【０００２】
【従来の技術】
近年、例えば、携帯電話機、ＰＨＳ電話機などの移動体電話機は、モバイルマルチメディアの技術開発が盛んに行われるのに伴って、音声データ及び動画像を含む画像情報を、携帯時に時と場所を選ばず自由に撮影してやりとりできるようになっている。この従来の移動体電話機は、例えば、本体に各種操作キーや液晶表示器（ＬＣＤ）を備えるとともに、この本体に撮像するためのカメラを一体化させ、通話者が周囲の様子を自由に撮影して液晶表示器により画像情報を確認した後、自在に送信できるように形成されている。図１１は、このような従来の移動体電話機を示す斜視図である。
【０００３】
図１１に示すように、従来の移動体電話機は、電話機の外装を形成する本体１００を設け、この本体１００の所定面にテンキーなどの操作ボタン１０４ａを複数配置した操作面１０４と、この操作面１０４の近傍に配置されて所定の情報を表示する液晶表示器（ＬＣＤ）１０１と、周囲の様子を自由に撮影可能なカメラ１０２と、所定の情報を送受信するアンテナ１０６とを備えている。また、本体１００には、操作面１０４の近傍に配置して通話時の音声情報を収音するマイク１０８と、アンテナ１０６により受信した音声情報を再生するスピーカ１０９とを備えている。
【０００４】
ここで、カメラ１０２は、ＣＣＤカメラまたはＣ−ＭＯＳカメラなどの小型カメラを装着しており、操作面１０４及び液晶表示器１０１を配置した本体１００の表側に固定されて所定の画像を撮影できるように設けられている。
そして、このような従来の移動体電話機を使用する場合、まず、本体１００の操作面１０４の操作ボタン１０４ａを操作して電源をＯＮにし、カメラ１０２のレンズ１０２ａが使用者側に向くように調節する。その後、本体１００の操作ボタン１０４ａを再び操作してカメラ１０２をＯＮ状態にすることで、電力およびカメラ制御信号がカメラ１０２に供給され、液晶表示器１０１に画像が表示される。なお、従来の移動体電話機は、使用モードによって画像を液晶表示器１０１に表示せず、アンテナ１０６を通じて通話相手の本体に直接画像情報を送信してお互いに相手の顔を表示させて通話することも可能である。
【０００５】
しかしながら、このような従来の移動体電話機では、携帯時に通話者が周囲の様子を撮影する場合、液晶表示器１０１を見ながら周囲の画像を撮影することが困難であるという不具合があった。
また、従来の移動体電話機は、近年、小型化が進む反面、多機能化により種々の機能が付加されて操作ボタン１０４ａの数が増えているとともに、液晶表示器１０１もさらに見やすいように表示面積が大きくなっているため、このような操作ボタン１０４ａと液晶表示器１０１とを配置した場合、カメラ１０２を配置する配置スペースが確保できなくなるという不具合があった。
そこで、従来の移動体電話機では、モバイル機やノートパソコンなどの外部装置と接続し、この外部装置のカメラにより撮影した画像情報を移動体電話機の本体に取り込むことが行われている。図１２は、このように外部装置と接続する従来の移動体電話機の他の実施の形態を示す斜視図である。
【０００６】
図１２に示すように、外部装置と接続する従来の移動体電話機の他の実施の形態は、多機能化による複数の操作ボタン２０４ａを配置した操作面２０４及び大型の液晶表示器２０１を備える移動体電話機の本体２００を設け、この本体２００に接続ケーブル４００により接続して画像情報を送信する外部装置３００を備えている。
【０００７】
ここで、本体２００は、図１１に示した本体とは異なり、カメラを一体に備えておらず、この配置スペースを利用して大型の液晶表示器２０１と複数の操作ボタン２０４ａとを配置している。この本体２００は、図示されていないが、一端側に接続ケーブル４００を着脱可能なコネクタを備え、このコネクタに接続した接続ケーブル４００を介して外部装置３００に接続される。また、本体２００には、図１１に示した本体と同様に、通信時に信号を送受信するアンテナ２０６と、このアンテナ２０６により受信した音声情報を再生するスピーカ２０９と、所定の音声情報を収音するマイク２０８とを備えている。
【０００８】
一方、外部装置３００は、開閉可能に軸支された第１筐体３１０と第２筐体３２０とにより形成されている。この第１筐体３１０には、外部装置３００の所定機能を操作する複数の入力キー３１４と、移動体電話機の本体２００と接続する接続ケーブル４００を着脱するコネクタ（図示せず）とを備えている。また、第２筐体３２０は、一端側に回動可能に軸支されたカメラ３２２と、所定の情報を表示する液晶表示器３２１とを備えている。ここで、カメラ３２２は、第２筐体３２０に回動可能に支持されているため、回動させてレンズ３２２ａの方向を変えることで液晶表示器３２１を見ながら裏面側の画像を撮影することが可能になる。
【０００９】
そして、このように外部装置を接続した従来の移動体電話機の他の実施の形態を使用する場合、まず、外部装置３００の入力キー３１４を操作して電源をＯＮにし、カメラ３２２のレンズ３２２ａを所望の方向に回動させて角度を調節する。その後、入力キー３１４を再び操作してカメラ３２２の動作ボタンをＯＮにすると、電力およびカメラ制御信号がカメラ３２２に供給され、外部装置３００の液晶表示器３２１に画像が表示される。そして、この画像情報は、接続ケーブル４００を介して移動体電話機の本体２００に送信され、本体２００の液晶表示器２０１に表示される。なお、使用モードによっては画像情報を本体２００の液晶表示器２０１に表示せず、外部装置３００の液晶表示器３２１により確認した後、本体のアンテナ２０６を通じて直接通話相手に送信することもできる。
しかしながら、外部装置を接続する従来の移動体電話機の他の実施の形態では、図１２に示したように、移動体電話機の本体２００と外部装置３００とを組み合わせて始めて画像を撮影できる構造であり、撮影時には常時、数種類の装置を持ち運ぶ必要があるため、収納性、携帯性が悪くなる。
【００１０】
【発明が解決しようとする課題】
このように、従来の移動体電話機では、図１１に示したように、本体１００の所定面にカメラ１０２を固定した構造の場合、カメラ１０２の撮影方向と液晶表示器１０１の表示面とが同じ方向に配置されて自由に動かせないため、液晶表示器１０１を見ながらその裏面側をカメラ１０２により撮影することができないという不具合があった。
また、従来の移動体電話機では、近年、操作ボタン１０４ａの増加及び液晶表示器１０１の大型化が要求されており、図１１に示した本体１００に大型の液晶表示器及び複数の操作ボタンを配置すると、カメラ１０２を配置する配置スペースがなくなってしまうという不具合があった。
さらに、従来の移動体電話機では、図１２に示したように、カメラ３２２を備えた外部装置３００を移動体電話機の本体２００に接続する構造の場合、通話者が周囲の様子を撮影する場合に、常時、移動体電話機の本体２００と外部装置３００とを持ち運ぶ必要があるため、収納性、携帯性が悪くなるという不具合があった。
本発明はこのような課題を解決し、液晶表示器を見ながら所望の方向をカメラにより撮影でき、携帯性に優れて、配置スペースを十分に確保できる移動体電話機を提供することを目的とする。
【００１３】
【課題を解決するための手段】
本発明は上述の課題を解決するために、本体の所定面にカメラを備えた移動体電話機であって、本体の所定機能を操作するテンキーなどの操作ボタンを配置した操作面を有する第１筐体と、この第１筐体に摺動可能に装着されて操作面を覆う閉塞位置と操作面を露出させる開放位置とに摺動するとともに所定の端部に回転可能に軸支したカメラを有する第２筐体とを備え、この第２筐体は閉塞位置で第１筐体と外周がほぼ一致するように重なりカメラが位置する第１筐体の一端側に切り欠き部を設けて前方及び後方を撮影可能にするとともに、本体を第１筐体及び第２筐体により形成することで所定の電子部品を十分に配置できる配置スペースを確保するように設ける。
【００１４】
ここで、第２筐体には、閉塞位置で覆われる操作面の操作ボタンとは異なり閉塞位置の状態で露出してカメラ及びオンフック・オフフックの操作を行う基本ボタンを配置することが好ましい。また、本体は、第２筐体にカメラとともに大型の液晶表示器及びスピーカを配置し、第１筐体に操作ボタン及びマイクを配置することで、開放位置に摺動する際にスピーカからマイクまでの長さを使用者の耳から口までの長さに調節できるように設けることが好ましい。また、カメラは、第２筐体に軸支されて操作面側から裏面側に１８０度回転して撮影できるように形成され、この画像を通信により発信できるように設けることが好ましい。
【００１５】
【発明の実施の形態】
次に、添付図面を参照して本発明による移動体電話機の実施の形態を詳細に説明する。図１は、本発明による移動体電話機の第１の実施の形態を示す斜視図である。また、図２は、図１に示した移動体電話機を使用している状態を示す図である。また、図３は、図１に示した操作面２２を第２筐体３０により閉塞した状態を示す図であり、図３（ａ）は正面図を、図３（ｂ）は側面図を、図３（ｃ）は背面図を各々示している。また、図４は、図１に示したカメラ３２を１８０度回転させる動作を示す図であり、図４（ａ）は回転前の状態を、図４（ｂ）は回転途中の状態を、図４（ｃ）は回転後の状態を各々示している。
【００１６】
図１に示すように、本発明による移動体電話機の第１の実施の形態は、図１１及び１２に示した従来技術とは異なり、移動体電話機の外装を第１筐体２０と第２筐体３０とにより形成した本体１０を備えている。この本体１０には、第１筐体２０にテンキーなどの操作ボタン２２ａを複数配置した操作面２２と、この操作面２２の近傍に配置して通話時の音声情報を収音するマイク２４と、所定の情報を送受信するアンテナ２６とを備えている。また、第２筐体３０には、所定の情報を表示する液晶表示器（ＬＣＤ）３６と、周囲の様子を自由に撮影可能なカメラ３２と、このカメラ３２の撮影及びオンフック・オフフックなどの最低限の操作を行える基本ボタン３４ａを複数配置した基本面３４と、アンテナ２６により受信した音声情報を再生するスピーカ３８とを備えている。
【００１７】
ここで、本体１０は、前述したように第１筐体２０と第２筐体３０とからなり、第２筐体３０が第１筐体２０に摺動可能に支持され、この第２筐体３０が摺動することで第１筐体２０の操作面２２ａを開閉できるように形成している。このように本体１０は、第１筐体２０と第２筐体３０との２つの筐体を設けることで、大型の液晶表示器３６、複数の操作ボタン２２ａ、カメラ３２などの電子部品を十分に配置できる配置スペースを確保している。
【００１８】
また、本体１０は、図１に示したように、通信などの種々の機能を実行する場合、第１筐体２０の操作面２２が露出する開放位置に第２筐体３０を摺動させることで実行する。この際、本体１０は、図２に示すように、第１筐体２０及び２筐体３０に設けたスピーカ３８からマイク２４までの長さが使用者の耳から口までの長さとほぼ同じ長さに伸長でき、使用者は適切な大きさに伸ばして使い易い長さで使用することが可能になる。
【００１９】
一方、本体１０は、使用者が通信をやめて携帯する場合、図３（ａ）に示すように、第１筐体２０の操作面２２を閉塞する閉塞位置に第２筐体３０を摺動させて携帯する。これにより操作面２２は、第２筐体３０により閉塞され、携帯時に任意の操作ボタン２２ａが押されることを防止できるるとともに、防塵などの効果を得ることができる。この第２筐体３０には、前述した最低限の操作を行う基本ボタン３４ａを配置した基本面３４を設けており、第２筐体３０により操作面２２を閉塞した状態でも一定の機能を実行できるように形成している。また、第２筐体３０は、操作面２２を閉塞した閉塞位置において、図３（ｂ）及び図３（ｃ）に示すように、第１筐体２０に完全に重なることなく一端側に敢えて幅Ａだけ突出する部分を設けている。この幅Ａは、第２筐体３０を閉塞位置に摺動させた際、カメラ３２が第１筐体２０に重ならない幅に形成している。
【００２０】
また、カメラ３２は、第２筐体３０の前述した幅Ａ内の一端に回動可能に支持されており、図４（ａ）に示すようにレンズ３２ａが所定の方向を向いている際に、図４（ｂ）に示すようにカメラ３２を所定の方向に回転させることで、図４（ｃ）に示すように１８０度回転してレンズ３２ａの向きを変えることができる。従って、カメラ３２は、図３（ａ）に示した状態から、レンズ３２ａの向きを図４に示したように回転させて変えることで、図３（ｃ）に示した裏面側にレンズ３２ａを回動させることができ、液晶表示器３６を見ながら裏面側の画像を撮影することが可能になる。このカメラ３２は、ＣＣＤカメラまたはＣ−ＭＯＳカメラなどの小型カメラを用いている。
【００２１】
そして、このような本発明による移動体電話機の第１の実施の形態を使用する場合、まず、図１に示したように、第１筐体２０の操作面２２が露出する開放位置に第２筐体３０を摺動させる。そして、本体１０の操作面２２に設けた操作ボタン２２ａを操作して電源をＯＮにするとともに、カメラ３２のレンズ３２ａを所望の方向に回転させて調節する。その後、本体１０の操作ボタン２２ａを再び操作してカメラ３２をＯＮ状態にすることにより、電力およびカメラ制御信号がカメラ３２に供給され、液晶表示器３６に画像が表示される。そして、使用者は、この液晶表示器３６の画像を確認後、操作ボタン２２ａを操作して通信を開始することで、通信相手に撮影した画像を送信でき、画像情報のやりとりが可能になる。
【００２２】
なお、通信を行わずカメラ３２による撮影のみ行う場合、図３（ａ）に示したように、操作面２２を閉塞する閉塞位置に第２筐体３０を摺動させた状態で撮影することができる。このような場合、まず、第２筐体３０の基本面３４に設けた基本ボタン３４ａにより電源をＯＮにするとともに、カメラ３２のレンズ３２ａを所望の方向に回転させて調節する。その後、本体１０の基本ボタン３４ａを再び操作してカメラ３２をＯＮ状態にすることで、電力およびカメラ制御信号がカメラ３２に供給され、液晶表示器３６に画像が表示される。
【００２３】
このように、本発明による移動体電話機の第１の実施の形態によると、図３に示した操作面２２を閉塞した状態で第１筐体２０と重ならない第２筐体３０の突出する端部に回動可能なカメラ３２を設けているため、このカメラ３２を図４に示したように回動させることで、液晶表示器３６を見ながら裏面側の画像を撮影することが可能になる。
また、第１の実施の形態によると、第１筐体２０及び第２筐体３０により本体１０を形成して電子部品の配置スペースを広く確保しているため、操作ボタン２２ａが増加して液晶表示器３６が大型化したとしても、カメラ３２を配置する十分な配置スペースを確保することができる。
さらに、第１の実施の形態によると、前述したように本体１０にカメラ３２を一体化させて自由に撮影できるように設けているため、図１２に示した従来技術に比べて本体１０を持ち運ぶ際の収納性及び携帯性が良くなる。
【００２４】
次に、図５乃至図７を参照して本発明による移動体電話機の第２の実施の形態を詳細に説明する。図５は、本発明による移動体電話機の第２の実施の形態を示す斜視図である。また、図６は、図５に示した移動体電話機を使用している状態を示す図である。また、図７は、図５に示した操作面５２を第２筐体６０により閉塞した状態を示す図であり、図７（ａ）は正面図を、図７（ｂ）は側面図を、図７（ｃ）は背面図を各々示している。
【００２５】
図５に示すように、本発明による移動体電話機の第２の実施の形態は、図１に示した第１の実施の形態と同様に、移動体電話機の外装を第１筐体５０と第２筐体６０とにより形成した本体４０を備えている。この本体４０には、第１筐体５０にテンキーなどの操作ボタン５２ａを複数配置した操作面５２と、通話時の音声情報を収音するマイク５４と、所定の情報を送受信するアンテナ５６とを備えている。また、第１筐体５０は、図１に示した第１の実施の形態とは異なり、操作面５２の近傍にカメラ６２の撮影またはオンフック・オフフックなどの基本的な操作を行う基本ボタン５８ａを複数配置した基本面５８を設けている。一方、第２筐体６０には、所定の情報を表示する液晶表示器（ＬＣＤ）６６と、周囲の様子を自由に撮影可能なカメラ６２と、アンテナ５６により受信した音声情報を再生するスピーカ６８とを備えている。このように第２の実施の形態では、使用者が操作する操作ボタン５２ａ及び基本ボタン５８ａなどの全てのボタンを第１筐体５０に設けたものである。
【００２６】
ここで、本体４０は、前述したように、第１筐体５０と第２筐体６０とからなり、第２筐体６０が第１筐体５０に摺動可能に支持され、この第２筐体６０が摺動することで第１筐体５０の操作面５２を開閉できるように形成している。このように本体４０は、第１筐体５０と第２筐体６０との２つの筐体を設けることで、大型の液晶表示器６６、複数の操作ボタン５２、カメラ６２などの電子部品を十分に配置できる配置スペースを確保している。
【００２７】
また、本体４０は、図５に示したように、通信などの種々の機能を実行する場合、第１筐体５０の操作面５２が露出する開放位置に第２筐体６０を摺動させることで実行している。この際、本体４０は、図６に示すように、第１筐体５０及び第２筐体６０に設けたスピーカ６８からマイク５４までの長さを使用者の耳から口までの長さとほぼ同じ長さに伸長でき、使用者は適切な大きさに伸ばして使い易い長さで使用することが可能になる。また、第１筐体５０には、カメラ６２及びオンフック・オフフックなどの最低限の操作を行える基本ボタン５８ａを配置した基本面５８を設けており、第２筐体６０を摺動させて操作面５２を閉塞した状態でも一定の機能を実行できるように形成している。
【００２８】
一方、本体４０は、使用者が通信をやめて携帯する場合、図７（ａ）に示すように、第１筐体５０の操作面５２を閉塞する閉塞位置に第２筐体６０を摺動させて携帯する。これにより操作面５２は、第２筐体６０により閉塞されて携帯時に任意の操作ボタン５２ａが押されることを防止できるるとともに、防塵などの効果を得ることができる。そして、第２筐体６０は、操作面５２を閉塞した閉塞位置において、図７（ｂ）及び図７（ｃ）に示すように、第１筐体５０に重なることなく所定の幅Ｂだけ突出する端部を設けている。この幅Ｂは、第２筐体６０のカメラ６２が第１筐体５０に重ならないように設けている。
【００２９】
また、カメラ６２は、第２筐体６０の一端に回動可能に支持されており、図４に示したカメラと同様に１８０度回転してレンズ６２ａの向きを変えることができる。従って、カメラ６２は、レンズ６２ａの向きを回転させて変えることで裏面側にレンズ６２ａが回動し、液晶表示器６６を見ながら裏面側の画像を撮影することが可能になる。このカメラ６２は、ＣＣＤカメラまたはＣ−ＭＯＳカメラなどの小型カメラを用いている。
【００３０】
そして、このような本発明による移動体電話機の第２の実施の形態を使用する場合、まず、図５に示したように、第１筐体５０の操作面５２が露出する開放位置に第２筐体６０を摺動させる。そして、本体４０の操作面５２に設けた操作ボタン５２ａを操作して電源をＯＮにするとともに、カメラ６２のレンズ６２ａを所望の方向に回転させて調節する。その後、本体４０の操作ボタン５２ａを再び操作してカメラ６２をＯＮ状態にすることで、電力およびカメラ制御信号がカメラ６２に供給され、液晶表示器６６に画像が表示される。また、使用者は、この液晶表示器６６の画像を確認後、操作ボタン５２ａを操作して通信を開始することで、通信相手に撮影した画像を送信することができ、画像情報のやりとりが可能になる。
【００３１】
なお、通信を行わずカメラ６２による撮影のみ行う場合、図７（ａ）に示したように、操作面５２を閉塞する閉塞位置に第２筐体６０を摺動させた状態でカメラ６２により撮影することができる。このような場合、まず、第１筐体５０の基本面５８に設けた基本ボタン５８ａにより電源をＯＮにするとともに、カメラ６２のレンズ６２ａを所望の方向に回転させて調節する。その後、本体４０の基本ボタン５８ａを再び操作してカメラ６２をＯＮ状態にすることで、電力およびカメラ制御信号がカメラ６２に供給されて液晶表示器６６に画像が表示されることで、液晶表示器６６を見ながら撮影することが可能になる。
【００３２】
このように、本発明による移動体電話機の第２の実施の形態によると、第１筐体５０及び第２筐体６０により本体４０を形成し、この第２筐体６０の第１筐体５０と重ならない突出する端部に回動可能なカメラ６２を設けているため、第１の実施の形態と同様の効果を得ることができるとともに、操作ボタン５２ａ及び基本ボタン５８ａなどの全てのボタンを第１筐体５０に配置することで簡単な構造になり容易に製造することが可能になる。
【００３３】
次に、図８乃至図１０を参照して本発明による移動体電話機の第３の実施の形態を詳細に説明する。図８は、本発明による移動体電話機の第３の実施の形態を示す斜視図である。また、図９は、図８に示した操作面８２を第２筐体９０により閉塞した状態を示す図である。また、図１０は、図９に示した第１筐体８０の裏面側を示す図である。
【００３４】
図８に示すように、本発明による移動体電話機の第３の実施の形態は、図１に示した第１の実施の形態と同様に、移動体電話機の外装を第１筐体８０と第２筐体９０とにより形成した本体７０を備えている。この本体７０には、第１筐体８０にテンキーなどの操作ボタン８２ａを複数配置した操作面８２と、この操作面８２の近傍に配置して通話時の音声情報を収音するマイク８４と、所定の情報を送受信するアンテナ８６とを備えている。一方、第２筐体９０には、所定の情報を表示する液晶表示器（ＬＣＤ）９６と、周囲の様子を自由に撮影可能なカメラ９２と、このカメラ９２の撮影及びオンフック・オフフックなどの最低限の操作を行える基本ボタン９４ａを複数配置した基本面９４と、アンテナ８６により受信した音声情報を再生するスピーカ９８とを備えている。また、第３の実施の形態では、図１に示した第１の実施の形態とは異なり、第１筐体８０の一端に所定の大きさに切り欠いた切り欠き部８０ａを形成している。
【００３５】
ここで、本体７０は、前述したように、第１筐体８０と第２筐体９０とからなり、第２筐体９０が第１筐体８０に摺動可能に支持され、この第２筐体９０が摺動することで第１筐体８０の操作面８２を開閉できるように形成している。このように本体７０は、第１筐体８０と第２筐体９０との２つの筐体を設けることで、大型の液晶表示器９６、複数の操作ボタン８２ａ、カメラ９２などの電子部品を十分に配置できる配置スペースを確保している。
【００３６】
また、本体７０は、通信などの種々の機能を実行する場合、図８に示したように、第１筐体８０の操作面８２が露出する開放位置に第２筐体９０を摺動させることで実行する。この際、本体７０は、図２に示した第１の実施の形態のように、第１筐体８０及び第２筐体９０に設けたスピーカ９８からマイク８４までの長さが使用者の耳から口までの長さとほぼ同じ長さに伸長でき、使用者は適切な大きさに伸ばして使い易い長さで使用することが可能になる。
【００３７】
一方、本体７０は、使用者が通信をやめて携帯する場合、図９に示すように、第１筐体８０の操作面８２を閉塞する閉塞位置に第２筐体９０を摺動させて携帯する。ここで、第３の実施の形態では、図９に示した閉塞位置において第１筐体８０と第２筐体９０とが完全に一致するように重なることで、第２筐体９０が操作面８２を閉塞する。この際、第１筐体８０は、前述した切り欠き部８０ａによって第２筐体９０に設けたカメラ９２と図１０に示すように重ならないように形成している。これにより操作面８２は、図９に示したように、第２筐体９０により閉塞され、携帯時に任意の操作ボタン８２ａが押されることを防止できるとともに、防塵などの効果も得ることができる。また、第２筐体９０には、前述した最低限の操作を行える基本ボタン９４ａを配置した基本面９４を設けており、図９に示した第２筐体９０により操作面８２を閉塞した状態でも一定の機能を実行できるように形成している。
【００３８】
また、カメラ９２は、第２筐体９０の一端に回動可能に支持されており、図４に示したカメラと同様に１８０度回転してレンズ９２ａの向きを変えることができる。従って、カメラ９２は、レンズ９２ａの向きを回転させて変えることで裏面側にレンズ９２ａが回動し、液晶表示器９６を見ながら裏面側の画像を撮影することが可能になる。このカメラ９２は、ＣＣＤカメラまたはＣ−ＭＯＳカメラなどの小型カメラを用いている。
【００３９】
そして、このような本発明による移動体電話機の第３の実施の形態を使用する場合、まず、図８に示したように、第１筐体８０の操作面８２が露出する開放位置に第２筐体９０を摺動させる。そして、本体７０の操作面８２に設けた操作ボタン８２ａを操作して電源をＯＮにするとともに、カメラ９２のレンズ９２ａを所望の方向に回転させて調節する。その後、本体７０の操作ボタン８２ａを再び操作してカメラ９２をＯＮ状態にすることにより、電力およびカメラ制御信号がカメラ９２に供給され、液晶表示器９６に画像が表示される。そして、使用者は、この液晶表示器９６の画像を確認後、操作ボタン８２ａを操作して通信を開始することで、通信相手に撮影した画像を送信でき、画像情報をやりとりすることが可能になる。
【００４０】
なお、通信を行わずカメラ９２による撮影のみ行う場合、図９に示したように、操作面８２を閉塞する閉塞位置に第２筐体９０を摺動させた状態で撮影することができる。このような場合、まず、第２筐体９０の基本面９４に設けた基本ボタン９４ａにより電源をＯＮにするとともに、カメラ９２のレンズ９２ａを所望の方向に回転させて調節する。その後、本体７０の基本ボタン９４ａを再び操作してカメラ９２をＯＮ状態にすることで、電力およびカメラ制御信号がカメラ９２に供給され、液晶表示器９６に画像が表示される。
【００４１】
このように、本発明による移動体電話機の第３の実施の形態によると、第１筐体８０及び第２筐体９０により本体７０を形成し、この第２筐体９０の端部に回動可能なカメラ９２を設けて第１筐体８０が重ならないように切り欠き部８０ａを設けているため、第１の実施の形態と同様の効果を得ることができるとともに、操作面８２を閉塞する際に第１筐体８０と第２筐体９０とが一致するように重なることで本体７０をより小型化することが可能になる。
【００４２】
以上、本発明による移動体電話機の実施の形態を詳細に説明したが、本発明は前述した実施の形態に限定されるものではなく、その要旨を逸脱しない範囲で変更可能である。
例えば、カメラを第２筐体の上端に設けた実施の形態を説明したが、これに限定されるものではなく、本体の側面にカメラを回動可能に支持してもよい。
【００４３】
【発明の効果】
このように本発明による移動体電話機によれば、第１筐体及び第２筐体により本体を形成し、この第２筐体の端部に回動可能なカメラを設けて第１筐体と重ならないように形成しているため、カメラを回動させることで、液晶表示器を見ながら、この液晶表示器の裏面側を撮影することが可能になる。
また、本発明による移動体電話機によれば、前述したように第１筐体及び第２筐体により本体を形成し、電子部品の配置スペースを広く確保しているため、操作ボタンが増加して液晶表示器が大型化したとしても、カメラを配置する十分な配置スペースを確保することができる。
さらに、本発明による移動体電話機によれば、本体にカメラを一体化させて自由に撮影できるように設けているため、本体を持ち運ぶ際にコンパクトであり、収納性及び携帯性が良くなる。
【図面の簡単な説明】
【図１】本発明による移動体電話機の第１の実施の形態を示す斜視図。
【図２】図１に示した移動体電話機を使用している状態を示す図。
【図３】図１に示した操作面を第２筐体により閉塞した状態を示す図。
【図４】図１に示したカメラを１８０度回転させる動作を示す図。
【図５】本発明による移動体電話機の第２の実施の形態を示す斜視図。
【図６】図５に示した移動体電話機を使用している状態を示す図。
【図７】図５に示した操作面を第２筐体により閉塞した状態を示す図。
【図８】本発明による移動体電話機の第３の実施の形態を示す斜視図。
【図９】図８に示した操作面を第２筐体により閉塞した状態を示す図。
【図１０】図９に示した第１筐体の裏面側を示す図。
【図１１】従来の移動体電話機を示す斜視図。
【図１２】従来の移動体電話機の他の実施の形態を示す斜視図。
【符号の説明】
１０    本体
２０    第１筐体
２２    操作面
２２ａ  操作ボタン
２４    マイク
２６    アンテナ
３０    第２筐体
３２    カメラ
３４    基本面
３４ａ  基本ボタン
３６    液晶表示器
３８    スピーカ
【図１】
0003751197.tif 000002
【図２】
0003751197.tif 000003
【図３】
0003751197.tif 000004
【図４】
0003751197.tif 000005
【図５】
0003751197.tif 000006
【図６】
0003751197.tif 000007
【図７】
0003751197.tif 000008
【図８】
0003751197.tif 000009
【図９】
0003751197.tif 000010
【図１０】
0003751197.tif 000011
【図１１】
0003751197.tif 000012
【図１２】
0003751197.tif 000013